(57)【要約】【課題】簡易な操作によって複数台の遊技媒体貸出装置から貨幣の回収作業を行うことができ、第三者に貨幣を抜き取られる恐れのないようにする。【解決手段】複数の遊技媒体貸出装置１と、各遊技媒体貸出装置１と通信可能に接続される管理装置とを備える。遊技媒体貸出装置１は、収納貨幣を外部に取り出すことが可能な金庫４０と、収納貨幣が取り出せない状態で金庫４０を施錠し、外部からの解錠操作に対応して金庫４０を解錠するロック機構を備える。管理装置は、複数の遊技媒体貸出装置１について解錠すべき順番を記憶し、所定の遊技媒体貸出装置１の解錠後に施錠されたとき、記憶データに基づき選ばれた遊技媒体貸出装置１が解錠可能な状態であるかを判別し、解錠可能な状態であればその遊技媒体貸出装置１に解錠を指示する。【選択図】図１
2007275500.tif 000002
【特許請求の範囲】
【請求項１】
貨幣を受け付けて所定の処理を実行するための複数台の貨幣処理機と、前記複数の貨幣処理機と通信可能に接続される管理装置とを備えた貨幣処理システムにおいて、
前記の各貨幣処理機は、貨幣を収納するとともに収納貨幣を外部に取り出すことが可能な金庫と、収納貨幣が金庫より取り出せない状態で金庫を施錠し、外部からの解錠操作に対応して金庫を解錠するロック機構とを備え、
前記管理装置は、前記複数の貨幣処理機について解錠すべき順番を記憶する記憶手段と、所定の貨幣処理機が解錠後に施錠されたとき、前記記憶手段の記憶データに基づいて選ばれた貨幣処理機が解錠可能な状態であるかどうかを判別する判別手段と、前記判別手段が解錠可能な状態であると判別したことを条件にその貨幣処理機に対して解錠を指示する解錠制御手段とを備えて成る貨幣処理システム。
【請求項２】
前記管理装置は、前記複数の貨幣処理機から独立して設けられている請求項１に記載された貨幣処理システム。
【請求項３】
前記管理装置は、前記複数の貨幣処理機のいずれかに一体に備えられている請求項１に記載された貨幣処理システム。
【請求項４】
貨幣を受け付けて所定の処理を実行するための複数台の貨幣処理機が相互に通信可能に接続されて成る貨幣処理システムにおいて、
前記の各貨幣処理機は、貨幣を収納するとともに収納貨幣を外部に取り出すことが可能な金庫と、収納貨幣が金庫より取り出せない状態で金庫を施錠し、外部からの解錠操作に対応して金庫を解錠するロック機構とを備えるとともに、
前記複数の貨幣処理機を解錠する順番に基づいて次に解錠すべき貨幣処理機を記憶する記憶手段と、解錠後に施錠されたとき、前記記憶手段に記憶された次の貨幣処理機が解錠可能な状態であるかどうかを判別する判別手段と、前記判別手段が解錠可能な状態であると判別したことを条件にその貨幣処理機に対して解錠を指示する解錠制御手段とを備えて成る貨幣処理システム。
【請求項５】
前記貨幣処理機は、近傍位置の特定の遊技機に遊技媒体を貸し出す処理を行う遊技媒体貸出装置である請求項１〜４のいずれかに記載された貨幣処理システム。
【発明の詳細な説明】
【技術分野】
【０００１】
この発明は、貨幣を受け付けて所定の処理を実行するための貨幣処理機が複数台備えられた貨幣処理システムに関する。特にこの発明は、パチンコホールなどの遊技場において、パチンコ球や遊技用メダルのような遊技媒体の貸出を行う遊技媒体の貸出システムなどに適用される貨幣処理システムに関する。
【背景技術】
【０００２】
パチンコホールなどの遊技場に導入されている遊技媒体の貸出システムは、パチンコ機やスロットマシンのような遊技機に隣接して「台間機」と呼ばれる遊技媒体貸出装置を配置して構成されている。遊技機と遊技媒体貸出装置との間は相互に信号のやり取りが可能なように電気的に接続されている。遊技媒体貸出装置は、貨幣の投入を受け付けたとき、または貨幣の投入を受け付けて磁気カードのような記録媒体を発行した後、その記録媒体を受け付けたとき、隣接する遊技機へ遊技媒体の貸出処理を行う。同様の構成の遊技媒体貸出装置と遊技機との組を複数連ねることにより、１つの遊技島が形成されている。
【０００３】
ところで、遊技場において、各遊技媒体貸出装置で受け付けられた貨幣を回収するのに、従来、貨幣を各遊技媒体貸出装置の後方に設置された貨幣搬送機により島端の金庫まで搬送して一括して回収する方式と、各遊技媒体貸出装置の内部に設けられた金庫に貨幣を取り込んで個別に回収する方式とがある。後者の方式では、係員は各遊技媒体貸出装置から随時金庫を取り出し、金庫にストックされた貨幣を回収する作業が必要である。そこで、その種の回収作業を効率化するため、係員の遠隔操作により各遊技媒体貸出装置の前面より金庫を一斉に引き出して貨幣の回収を行うようにしたものが提案されている（例えば、特許文献１参照）。
【０００４】
【特許文献１】特開２００５−２１２５６号公報
【０００５】
前記遊技媒体貸出装置は、前面に紙幣投入口を有する紙幣収納ユニットが前後方向に移動可能に組み付けられており、前記紙幣収納ユニットの内部には紙幣識別部と紙幣収納部（金庫）とが設けられている。この遊技媒体貸出システムでは、遠隔操作により解錠操作信号が送られると、複数の遊技媒体貸出装置が解錠動作して、各紙幣収納ユニットが一斉に前方へ突出する。
【発明の開示】
【発明が解決しようとする課題】
【０００６】
上記した構成の遊技媒体貸出システムは、リモコンによる遠隔操作により遊技媒体貸出装置の紙幣収納ユニットの取り出しを複数台同時に行えるため、貨幣の回収作業を効率よく行うことができるが、複数台の遊技媒体貸出装置が一斉に解錠動作されるため、管理者の目の届かない紙幣収納ユニットから遊技者などの第三者に紙幣を抜き取られる恐れがあるなど、安全性の面で問題がある。
【０００７】
この発明は、上記した問題に着目してなされたもので、簡易な操作によって複数台の貨幣処理機から貨幣の回収作業を行うことができるとともに、第三者に貨幣を抜き取られる恐れのない貨幣処理システムを提供することを目的とする。
【課題を解決するための手段】
【０００８】
この発明による貨幣処理システムは、貨幣を受け付けて所定の処理を実行するための複数台の貨幣処理機と、前記複数の貨幣処理機と通信可能に接続される管理装置とを備えたものである。前記の各貨幣処理機は、貨幣を収納するとともに収納貨幣を外部に取り出すことが可能な金庫と、収納貨幣が金庫より取り出せない状態で金庫を施錠し、外部からの解錠操作に対応して金庫を解錠するロック機構とを備えている。前記管理装置は、前記複数の貨幣処理機について解錠すべき順番を記憶する記憶手段と、所定の貨幣処理機が解錠後に施錠されたとき、前記記憶手段の記憶データに基づいて選ばれた貨幣処理機が解錠可能な状態であるかどうかを判別する判別手段と、前記判別手段が解錠可能な状態であると判別したことを条件にその貨幣処理機に対して解錠を指示する解錠制御手段とを備えている。
【０００９】
この発明の上記した構成において、「管理装置」は、前記複数の貨幣処理機から独立して設けることができるほか、前記複数の貨幣処理機のいずれかに一体に備えることができる。また、前記管理装置を構成する記憶手段、判別手段および解錠制御手段は、プログラムされたコンピュータによって実現することもでき、専用のハードウェア回路によって実現することもできる。
【００１０】
また、この発明の上記した構成において、「外部からの解錠操作」には、リモコンなどの遠隔制御装置から解錠操作信号を貨幣処理機に対して送信することにより解錠操作するもののほか、鍵を鍵穴へ差し込んで回す鍵操作により貨幣処理機を解錠操作するもの、管理装置から貨幣処理機へ解錠操作信号を送信して解錠操作するものを含む。
【００１１】
上記した構成の貨幣処理システムにおいて、各貨幣処理機の金庫に収納されている貨幣を回収するのに、まず、外部からの解錠操作により所定の貨幣処理機を解錠し、この貨幣処理機の金庫に収納された貨幣を取り出す。その後、施錠すると、管理装置の記憶手段により記憶された記憶データに基づき、複数の貨幣処理機のうち次に解錠すべき貨幣処理機が選ばれる。選ばれた貨幣処理機は、管理装置の判別手段により解錠可能な状態であるかどうかが判別される。その貨幣処理機が解錠可能な状態であると判定されると、管理装置の解錠制御手段はその貨幣処理機に対して解錠を指示する。管理装置から解錠を指示された貨幣処理機は、ロック機構が解錠動作して金庫の解錠をおこない、これにより金庫から貨幣を取り出すことができる。つぎに、この貨幣処理機の金庫が施錠されると、管理装置の記憶手段により記憶された記憶データに基づき、複数の貨幣処理機のうち次に解錠すべき貨幣処理機が選ばれて同様の動作が繰り返される。
【００１２】
この発明による他の貨幣処理システムは、貨幣を受け付けて所定の処理を実行するための複数台の貨幣処理機が相互に通信可能に接続されている。前記の各貨幣処理機は、貨幣を収納するとともに収納貨幣を外部に取り出すことが可能な金庫と、収納貨幣が金庫より取り出せない状態で金庫を施錠し、外部からの解錠操作に対応して金庫を解錠するロック機構とを備えている。さらに、前記の各貨幣処理機は、前記複数の貨幣処理機を解錠する順番に基づいて次に解錠すべき貨幣処理機を記憶する記憶手段と、解錠後に施錠されたとき、前記記憶手段に記憶された次の貨幣処理機が解錠可能な状態であるかどうかを判別する判別手段と、前記判別手段が解錠可能な状態であると判別したことを条件にその貨幣処理機に対して解錠を指示する解錠制御手段とを備えている。
【００１３】
この発明の上記した構成において、記憶手段、判別手段および解錠制御手段は、プログラムされたコンピュータによって実現することができる他、専用のハードウェア回路によっても実現することができる。
【００１４】
また、この発明の上記した構成において、「外部からの解錠操作」には、リモコンなどの遠隔制御装置から解錠操作信号を貨幣処理機に対して送信することにより解錠操作するもののほか、鍵を鍵穴へ差し込んで回す鍵操作により貨幣処理機を解錠操作するもの、管理装置から貨幣処理機へ解錠操作信号を送信して解錠操作するものを含む。
【００１５】
上記した構成の貨幣処理システムにおいて、各貨幣処理機の金庫に収納されている貨幣を回収するのに、まず、外部からの解錠操作により所定の貨幣処理機を解錠し、この貨幣処理機の金庫に収納された貨幣を取り出す。その後、施錠すると、この１番目の貨幣処理機に備えられた記憶手段に記憶された次に解錠すべき貨幣処理機が選ばれる。選ばれた２番目の貨幣処理機は、１番目の貨幣処理機の判別手段により解錠可能な状態であるかどうかが判別される。２番目の貨幣処理機が解錠可能な状態であると判定されると、１番目の貨幣処理機の解錠制御手段は２番目の貨幣処理機に対して解錠を指示する。解錠を指示された２番目の貨幣処理機は、ロック機構が解錠動作して金庫の解錠をおこない、これにより２番目の貨幣処理機の金庫から貨幣を取り出すことができる。つぎに、この貨幣処理機が施錠されると、この２番目の貨幣処理機に備えられた記憶手段により記憶された次に解錠すべき３番目の貨幣処理機が選ばれて同様の動作が繰り返される。
【００１６】
この発明の好ましい一実施態様においては、前記貨幣処理機は、近傍位置の特定の遊技機に遊技媒体を貸し出す処理を行う遊技媒体貸出装置である。前記遊技機は、パチンコ機やスロットマシンなど、複数の種類の遊技機を想定することができる。
なお、「貨幣処理機」は、貨幣を受け付けて所定の処理を実行するものであれば、遊技媒体貸出装置に限られず、貨幣を直接受け入れて所定のゲームを提供する遊技機も想定され、さらには、遊技機以外の各種機械も想定される。
【発明の効果】
【００１７】
この発明によると、所定の貨幣処理機の金庫を解錠し、その金庫に収納されている貨幣を取り出した後に施錠すると、それに連動して、予め記憶された順番により他の貨幣処理機の金庫が順次解錠されて、自動的に金庫から貨幣を取り出せる状態になるので、貨幣回収者は各貨幣処理機について随時解錠操作をおこなう手間が省け、貨幣の回収作業が効率化する。
また、複数台の貨幣処理機について、１台もしくは少数台毎に貨幣の回収作業をおこなうことができるので、第三者によって貨幣が抜き取られる恐れがなく、安全性も増す。
【発明を実施するための最良の形態】
【００１８】
図１は、この発明が適用された遊技媒体貸出システムを構成する遊技媒体貸出装置１と遊技機２とを示している。この遊技媒体貸出装置１と遊技機１０１とは、隣り合わせに配備されるとともに、双方の制御部が電気接続されている。遊技場では、同様の構成の遊技媒体貸出装置１と遊技機１０１との組を複数連ねることにより、１つの遊技島１０２が構成される。
【００１９】
図２および図３は、遊技媒体貸出装置１の外観とその構成を示すもので、図２が稼働時の状態を、図３が紙幣回収時の状態を、それぞれ示している。
図示例の遊技媒体貸出装置１は、紙幣ａの投入を受け付けて記録媒体ｂを発行して放出した後、その記録媒体ｂの挿入を受け付けて隣接する遊技機へ遊技媒体の貸出処理を行うものである。
【００２０】
前記記録媒体ｂはＩＣチップが埋め込まれた棒状のスティック体であり、この記録媒体ｂを後述する記録媒体挿排口１４へ挿入すると、前記ＩＣチップと遊技媒体貸出装置１内のリードライター９７（図７参照）とはアンテナ（図示せず。）を介して貸出情報の送受信が可能となる。
なお、この発明は、紙幣の投入を受け付けて遊技媒体を直接外部へ放出する方式のものや、紙幣の投入を受け付けて記録媒体を発行することなく隣接する遊技機へ直接遊技媒体を貸し出す方式のものにも適用できる。また、記録媒体ｂはスティック状のものに限らず、カード状のもの、メダル状のものなど、種々の形態のものを用いることができる。
【００２１】
図示例の遊技媒体貸出装置１は、縦に長く幅の狭い筐体１０を有し、筐体１０の前面に、紙幣ａを縦向きにして受け付けるスリット状の紙幣投入口１１と、矩形状の蓋２で塞がれた紙幣回収口１２とが設けられている。前記蓋２は、図３に示すように、前方への起伏により開閉するもので、蓋２の下端部が後述する金庫４０の前端の下端部にピン４３により枢支されている。
【００２２】
前記紙幣回収口１２の下方には、スティック状の記録媒体ｂの出し入れを行うための記録媒体挿排口１４が設けられている。なお、図中、１８は紙幣ａが受付可能かどうかなどを表示するためのランプ、１７は情報を表示するための表示器であり、この表示器１７の背後には、遠隔制御装置１００からの解錠操作信号ｘを受光する受光部９６が配置されている。また、１３はシリンダ錠の鍵挿入孔であり、停電時などに鍵を差し込んで蓋２の開放を行うためのものである。
【００２３】
前記筐体１０の内部には、図４に示すように、紙幣投入口１１の位置に対応させて紙幣処理部３が、紙幣回収口１２の位置に対応させて紙幣収納部４が、それぞれ配置されている。なお、図４は、筐体１０の側壁１０ａを破断することにより筐体１０の内部を示したものである。
前記紙幣処理部３には、紙幣投入口１１へ投入された紙幣ａを紙幣処理部３に取り込む紙幣取込機構３０と、取り込まれた紙幣ａの適否を判別する紙幣識別器５と、適正判別された紙幣ａを前記紙幣収納部４へ搬送する紙幣搬送機構６とが設けられている。
【００２４】
前記紙幣取込機構３０は、モータ３１を駆動源とするものであり、紙幣ａの上端部を左右から挟む左右一対のベルト３２，３２と、紙幣ａの下端部を左右から挟む左右一対のベルト３３，３３と、モータ３１の回転を一方（例えば右側）のベルト３２，３３に伝達するための伝達機構３４とを含んでいる。各ベルト３２，３３を駆動する駆動軸３５上にローラ３６が装着されており、前記ローラ３６とモータ３１により駆動されるローラ３７との間に前記伝達機構３４の伝導ベルト３８が掛け渡されている。なお、左側のベルト３２，３３は走行自由な状態にあり、右側のベルト３２，３３との接触により従動するが、左側のベルト３２，３３にも駆動をかけてもよい。
【００２５】
前記紙幣識別器５は、上方のベルト３２の近傍と下方のベルト３３の近傍とにそれぞれ配置された磁気ヘッド５１，５２を有しており、各磁気ヘッド５１，５２が読み取った紙幣の磁気パターンによって紙幣の真偽および金種を判別する。
なお、図中、Ｓ１〜Ｓ３は光電センサより成る位置検出器であり、位置検出器Ｓ１，Ｓ２は紙幣ａが紙幣投入口１０へ挿入されたことを検出し、位置検出器Ｓ３は紙幣ａが終端に達したことを検出する。位置検出器Ｓ１，Ｓ２が紙幣ａを検出すると、紙幣取込機構３０が始動する。また、位置検出器Ｓ３が紙幣ａを検出すると、紙幣取込機構３０の駆動が停止し、紙幣搬送機構６が始動する。なお、不適正であると判断された紙幣は紙幣投入口１０へ返却される。
【００２６】
前記紙幣搬送機構６は、モータ６０を駆動源とするもので、モータ６０の回転が第１の伝導ベルト６１により伝達される上方位置の駆動軸６２と、さらに第２の伝導ベルト６３により伝達される下方位置の駆動軸６４と、各駆動軸６２，６４上にそれぞれ装着される複数個づつの駆動ローラ６５，６６と、各駆動ローラ６５，６６に対向位置させる従動ローラ６７，６８とで構成されている。前記従動ローラ６７は、駆動ローラ６５との間で紙幣ａを挟んで紙幣収納部４へ搬送するもので、図示していないが、駆動ローラ６５に対して接近、離間可能に構成されている。なお、各従動ローラ６８も駆動ローラ６５に対して接近、離間が可能である。
【００２７】
前記紙幣収納部４には、図５に示すように、前記紙幣処理部３から搬送されてきた紙幣ａを取り込みかつ収納することが可能な金庫４０と、前記金庫４０を前記紙幣回収口１２に向けてバネ力により付勢する付勢機構７と、前記紙幣回収口１２に開閉可能に設けられる蓋２と、蓋２を閉じた状態に保持して金庫４０を施錠し、後述する遠隔制御装置１００による解錠操作または管理装置１１０による解錠操作によって解錠動作して蓋２を開放可能な状態にするロック機構８とが設けられている。
【００２８】
前記金庫４０は、図３に示すように、左右の支持板４１，４１間に複数枚の紙幣ａを縦向きの姿勢で積層して収納することが可能に構成されており、前記紙幣処理部３から搬送されてきた紙幣ａを取り込むことが可能なように上面が開放され、また、前部から紙幣ａを取り出すことが可能なように前面が開放されている。なお、金庫４０の内部には、図示していないが、紙幣ａを幅寄せして積層するための機構が組み込まれている。
この金庫４０は、水平な床板部１９上に前後方向へスライド自由に支持され、前記紙幣回収口１２に対して進退可能となっている。前記筐体１０の両側壁１０ａの内側には、左右の側板部２２，２２がそれぞれ設けられ、各側板部２２にスライド溝２３がそれぞれ形成されるとともに、各スライド溝２３に金庫４０の両側面に突設された突軸２４がそれぞれスライド自由に係合されている。
【００２９】
前記蓋２はその下端部が金庫４０の前端の下端部に枢支されており、図５に示す金庫収納時は金庫４０の前端は蓋２の手前に位置し、また、図６に示す回収時は金庫４０の全長のほぼ半分近くが紙幣回収口１２より突き出る。
【００３０】
前記した左右の側板部２２にはバネ固定部７１がそれぞれ設けてあり、各バネ固定部７１と左右の各突軸２４との間に引っ張りバネ７０がそれぞれ張設されている。各引っ張りバネ７０は、前記金庫４０を前記紙幣回収口１２に向けて付勢するための付勢機構７を構成している。
【００３１】
前記ロック機構８は、蓋２の内面の上端部両側に設けられた左右の係合凹部２１，２１と、昇降動作により上端のフック部８１が各係合凹部２１，２１に係脱する左右一対の中空のロック棒８０，８０と、ロック棒８０，８０の中空内部に上端部が挿入されロック棒８０を上下動自由に支持する左右の支持軸８２と、各ロック棒８０を上方へそれぞれ付勢する左右の圧縮バネ８３と、揺動により前記支持軸８２を上下動させる左右の揺動部材８４と、各揺動部材８４を揺動させる左右のソレノイド８５とで構成されている。各ソレノイド８５は前記床板部１９上に設置されている。
【００３２】
蓋２を閉じた図５の金庫収納状態のとき、左右の揺動部材８４は起き上がり、各ロック棒８０のフック部８１は左右の係合凹部２１にそれぞれ係合し、蓋２は閉じた状態に保持され、金庫４０が施錠される。遠隔制御装置１００または管理装置１１０による解錠操作があったとき、左右のソレノイド８５が駆動されて揺動部材８４が揺動し、各ロック棒８０が引き下げられてフック部８１が係合凹部２１より脱出する。これにより蓋２は付勢機構７により付勢された金庫４０によって押し開かれ、金庫４０が解錠される（図６）。
金庫４０を押し込んで蓋２を閉じると、係合凹部２１の近傍に形成されたテーパ状の押圧面８６によりロック棒８０のフック部８１が圧縮バネ８３のバネ力に抗して押し下げられ、その後、フック部８１が圧縮バネ８３の復元力を受けて係合凹部２１に係合する。これにより蓋２は閉じた状態に保持される。
【００３３】
なお、筐体１０と蓋２との間には開閉検知センサ１０３（図７に示す。）が配置されている。この開閉検知センサ１０３により蓋２の開閉状態が検出され、蓋２が閉じられて施錠されたときは、その検出信号ｓが後述するメイン基板９を介して管理装置１１０に送信されて管理される。
【００３４】
図７は、上記した遊技媒体貸出装置１の電気的な構成を示している。図中、９はメイン基板であり、装置全体の制御を実行するＣＰＵ９０と、プログラムや固定データが格納されるＲＯＭ９３とデータの読み書きに用いられるＲＡＭ９４とを含むメモリが実装されている。メイン基板９には、紙幣識別器５、ロック機構８、受光基板９１、開閉検知センサ１０３の他、記録媒体挿排口１４に挿入された記録媒体ｂに対する情報の読み書きを行うための記録媒体リードライター９７が接続されている。
【００３５】
前記受光基板９１は、前記受光部９６に配備された受光素子９２と、ＣＰＵ９０との間で信号のやり取りを行うワンチップマイクロプロセッサである周辺機器接続制御用ＩＣ９５とが実装されている。前記受光素子９２は、遠隔制御装置１００からの解錠操作信号ｘを受信する。前記解錠操作信号ｘには、送信データとして解錠コードと店コードとが含まれており、ＣＰＵ９０は、そのコードと登録コードとの照合を行い、それが一致していれば、ロック機構８に対して解錠動作を実行させる。なお、セキュリティの向上をはかるため、解錠コードは暗号化するのが望ましい。
【００３６】
また、メイン基板９は中継基板９９を介してホールコンピュータ、管理装置１１０、記録媒体管理装置、左右の遊技機などに接続されており、例えば、紙幣ａの投入を受け付けると紙幣受付信号がホールコンピュータへ送信され、また、記録媒体ｂが発行されると記録媒体に関わる各種情報が記録媒体管理装置へ送信される。
さらに、メイン基板９は、金庫４０に収納された紙幣ａの回収時に、管理装置１１０からの解錠操作信号ｙを受信することにより、ロック機構８に対して解錠動作を実行させ、これにより遊技媒体貸出装置１において蓋２が開いて金庫４０が突出する。なお、図中、９８は電源基板であり、メイン基板９に対して電源を供給する。
【００３７】
図８は、管理装置１１０の電気的な構成例を示している。管理装置１１０は、コンピュータにより構成され、遊技島１０２を構成する全ての遊技媒体貸出装置１Ａ〜１Ｚと通信可能に接続されている。図中、１１１はマイクロコンピューターにより成る制御装置であって、制御主体であるＣＰＵ１１２、プログラムや固定データが格納されるＲＯＭ１１３とデータの読み書きに用いられるＲＡＭ１１４とを含む。ＣＰＵ１１２にはバス１１５を介して入力部１１６、表示部１１７、各遊技媒体貸出装置１と通信を行うための通信インターフェイス回路１１８、タイマ１１９などが接続されている。
前記ＣＰＵ１１２はＲＯＭ１１３に記憶されたプログラムに従ってＲＡＭ１１４に対するデータの読み書きを実行しつつ入出力各部の動作を一連に制御する。
【００３８】
ＲＡＭ１１４には、紙幣回収時に、遊技島１０２を構成する複数の遊技媒体貸出装置について解錠すべき順番を示すデータが記憶されている。ＣＰＵ１１２は、いずれかの遊技媒体貸出装置が解錠後に施錠されたことを開閉検出センサ１０３から検出信号ｓにより検出したとき、前記ＲＡＭ１１４に記憶されたデータを参照して次に解錠すべき遊技媒体貸出装置を認識する。さらに、ＣＰＵ１１２は、この記憶データに基づいて認識された遊技媒体貸出装置が解錠可能な状態であるかどうかを判別し、その判別結果に基づいて、解錠可能な状態であると判定すれば、この遊技媒体貸出装置へ解錠操作信号ｙを送信する。
【００３９】
入力部１１６は、各種の設定データなどを入力するためのものであり、キーボード、マウスなどにより構成される。この入力部１１６により、複数の遊技媒体貸出装置について解錠すべき順番を入力して登録する。例えば、遊技島１０２の一端に配置された遊技媒体貸出装置１Ａを基点として、その遊技媒体貸出装置１Ａから遊技島１０２の他端に配置された遊技媒体貸出装置１Ｚまで、隣接する遊技媒体貸出装置を１台ずつ、あるいは、２台ずつ順次解錠するように登録する。なお、表示部１１７は、入出力データなどを表示するためのもので、ＣＲＴや液晶などにより構成される。
【００４０】
前記タイマ１１９は、遊技媒体貸出装置の施錠後に次に解錠される遊技媒体貸出装置が解錠されるまでの設定時間を計時するためのものである。前記設定時間は紙幣回収者のスタンバイに要する時間を考慮して、例えば２秒程度に設定されるもので、遊技媒体貸出装置の施錠後、設定時間の経過後に管理装置１１０は次の遊技媒体貸出装置を解錠する。
【００４１】
図９および図１０は、この発明が適用された遊技媒体貸出システムの動作を示すもので、図９には遊技媒体貸出装置１のメイン基板９による制御の流れが、図１０には管理装置１１０の制御装置１１１による制御の流れが、それぞれ示されている。なお、図中、「ＳＴ」は「ＳＴＥＰ」の略であり、一連の制御の流れにおける各手順を示している。
【００４２】
図９のＳＴ１，８において、各遊技媒体貸出装置のＣＰＵ９０は、紙幣回収者による遊技媒体貸出装置１の解錠操作、または、管理装置１１０による解錠可能かどうかの確認動作に待機している。いま、図１１に示す遊技媒体貸出装置１Ａが、遠隔制御装置１００からの解錠操作信号ｘを受光部９６で受信すると、図９のＳＴ１の判定が「ＹＥＳ」となってＳＴ２へ進み、遊技媒体貸出装置１ＡのＣＰＵ９０は受信した解錠操作信号ｘに含まれるコードについてコード照合を行う。もし、照合結果がＯＫであれば、ＳＴ３の判定は「ＹＥＳ」であり、ＣＰＵ９０は、ロック機構８に対して解錠動作を実行させ、図１１に示すように、遊技媒体貸出装置１Ａの蓋２が開いて金庫４０が突出する（ＳＴ４）。
もし、照合結果がＯＫでなければ、ＳＴ３の判定が「ＮＯ」であり、エラー処理が行われる（ＳＴ５）。
【００４３】
つぎに、紙幣回収者により蓋２が閉じられて、開閉検知センサ１０３により遊技媒体貸出装置１Ａの施錠が検出されると、ＳＴ６の判定が「ＹＥＳ」となり、ＣＰＵ９０はその検出信号ｓを管理装置１１０へ送信する（ＳＴ７）。
【００４４】
管理装置１１０が遊技媒体貸出装置１Ａより検出信号ｓの送信を受けると、図１０のＳＴ１０１の判定が「ＹＥＳ」となり、管理装置１１０のＣＰＵ１１２は、タイマ１１９をスタートさせた後（ＳＴ１０２）、ＲＡＭ１１４に記憶されたデータを参照して次に解錠すべき遊技媒体貸出装置１Ｂを認識した後、その２番目の遊技媒体貸出装置１Ｂに対して解錠可能な状態であるかどうかの確認（問合わせ）を行う（ＳＴ１０３，１０４）。
【００４５】
２番目の遊技媒体貸出装置１Ｂにおいて、管理装置１１０より解錠可能な状態であるかどうかの確認があると、図９のＳＴ１の判定が「ＮＯ」、ＳＴ８の判定が「ＹＥＳ」となり、ＳＴ９へ進む。遊技媒体貸出装置１Ｂが解錠可能な状態であれば、ＳＴ９の判定が「ＹＥＳ」となり、遊技媒体貸出装置１ＢのＣＰＵ９０は管理装置１１０へ解錠可能である旨の信号を送信する（ＳＴ１０）。もし、遊技媒体貸出装置１Ｂが、使用中やエラーなどにより解錠可能な状態でなければ、ＳＴ９の判定が「ＮＯ」であり、解錠可能でない旨の信号を管理装置１１０へ送信する（ＳＴ１１）。
【００４６】
管理装置１１０において、遊技媒体貸出装置１Ｂより解錠可能である旨の信号の送信を受けると、図１０のＳＴ１０５の判定が「ＹＥＳ」となり、ＣＰＵ１１２は２番目の遊技媒体貸出装置１Ｂが解錠可能な状態であると判断する。タイマ１１９による計測時間が所定時間を経過していれば、次のＳＴ１０６の判定は「ＹＥＳ」となり、ＣＰＵ１１２は、タイマ１１９をストップさせた後（ＳＴ１０７）、２番目の遊技媒体貸出装置１Ｂへ解錠操作信号ｙを送信する（ＳＴ１０８）。
遊技媒体貸出装置１Ｂが管理装置１１０より解錠操作信号ｙの送信を受けると、図９のＳＴ１２の判定が「ＹＥＳ」となり、遊技媒体貸出装置１ＢのＣＰＵ９０は、ロック機構８に対して解錠動作を実行させ、図１２に示すように、２番目の遊技媒体貸出装置１Ｂの蓋２が開いて金庫４０が突出する（ＳＴ４）。
【００４７】
もし、管理装置１１０において、２番目の遊技媒体貸出装置１Ｂより解錠可能でない旨の信号の送信を受けると、図１０のＳＴ１０５の判定が「ＮＯ」となり、ＣＰＵ１１２は遊技媒体貸出装置１Ｂが解錠可能でない状態であると判断し、遊技媒体貸出装置１Ｂに対して解錠操作をおこなわずに、ＲＡＭ１１４に記憶されたデータを参照してその次に解錠すべき３番目の遊技媒体貸出装置１Ｃを認識する（ＳＴ１０３）。
つぎに、ＳＴ１０４において、３番目の遊技媒体貸出装置１Ｃについて解錠可能な状態であるかどうかの確認を行い、その遊技媒体貸出装置１Ｃより解錠可能である旨の信号の送信（図９の「ＳＴ１０」）を受けると、図１０のＳＴ１０５の判定が「ＹＥＳ」となり、ＣＰＵ１１２は３番目の遊技媒体貸出装置１Ｃが解錠可能な状態であると判断する。そして、タイマ１１９による計測時間が所定時間を経過していれば、次のＳＴ１０６の判定は「ＹＥＳ」となり、ＣＰＵ１１２は、タイマ１１９をストップさせた後（ＳＴ１０７）、３番目の遊技媒体貸出装置１Ｃへ解錠操作信号ｙを送信する（ＳＴ１０８）。
【００４８】
３番目の遊技媒体貸出装置１Ｃが管理装置１１０より解錠操作信号ｙの送信を受けると、図９のＳＴ１２の判定が「ＹＥＳ」となり、３番目の遊技媒体貸出装置１ＣのＣＰＵ９０は、ロック機構８に対して解錠動作を実行させ、図１３に示すように、３番目の遊技媒体貸出装置１Ｃの蓋２が開いて金庫４０が突出する（ＳＴ４）。
【００４９】
上記した手順が繰り返された結果、島端の遊技媒体貸出装置１Ｚに対して解錠操作信号ｙが送信されると、図１０のＳＴ１０９の判定は「ＹＥＳ」となり、最後の遊技媒体貸出装置１Ｚが施錠されることにより、つぎのＳＴ１１０の判定も「ＹＥＳ」となり、その遊技島１０２での紙幣回収作業が終了する。
【００５０】
なお、上記した実施例では、解錠すべき遊技媒体貸出装置１が解錠可能な状態でなければ、管理装置１１０はその遊技媒体貸出装置１を飛ばして次の遊技媒体貸出装置１について解錠操作をおこなうようにしているが、これに限らず、解錠可能な状態となるまで待機するようにしてもよい。この場合、ランプ１８を点滅させたり、遠隔制御装置１００に待機中の信号を送信したりすることにより待機中であることを紙幣回収者に報知する。
【００５１】
また、上記した実施例では、各遊技媒体貸出装置１と通信可能に接続された管理装置１１０が、決められた順序で各遊技媒体貸出装置１を順次解錠する構成のものであるが、管理装置１１０を介在させずに各遊技媒体貸出装置１を順次解錠するように構成することもできる。
図１４は、管理装置が介在しない遊技媒体貸出システムを構成する遊技媒体貸出装置１の電気的な構成例を示している。この実施例の遊技媒体貸出装置１も、基本的な構成は上記した実施例の構成と同様であり、ここでは対応する構成に同一の符号を付することで説明を省略する。
【００５２】
同図中、ＲＡＭ９４には、紙幣回収時に、遊技島１０２を構成する複数の遊技媒体貸出装置について解錠すべき順番に基づいて次に解錠すべき遊技媒体貸出装置１を特定するデータが記憶されている。例えば、遊技島１０２の一端に配置された遊技媒体貸出装置１Ａを基点として、その遊技媒体貸出装置１Ａから遊技島１０２の他端に配置された遊技媒体貸出装置１Ｚまで、隣接する遊技媒体貸出装置を１台ずつ、あるいは、２台ずつ順次解錠する場合、１番目の遊技媒体貸出装置１Ａには２番目の遊技媒体貸出装置１Ｂを特定するデータが、２番目の遊技媒体貸出装置１Ｂには３番目の遊技媒体貸出装置１Ｃを特定するデータが、それぞれ記憶されている。
【００５３】
この実施例では、図１１に示すように、１番目の遊技媒体貸出装置１Ａが遠隔制御装置１００からの解錠操作信号ｘを受信することにより解錠され、遊技媒体貸出装置１Ａの金庫４０に収納された紙幣ａが取り出された後に蓋２が閉じられると、開閉検知センサ１０３により遊技媒体貸出装置１Ａの施錠が検出され、その検出信号ｓが遊技媒体貸出装置１ＡのＣＰＵ９０に取り込まれる。遊技媒体貸出装置１ＡのＣＰＵ９０は、検出信号ｓを受けると、ＲＡＭ９４に記憶されたデータを参照して次に解錠すべき遊技媒体貸出装置１Ｂを認識する。
【００５４】
つぎに、１番目の遊技媒体貸出装置１ＡのＣＰＵ９０は、２番目の遊技媒体貸出装置１Ｂが解錠可能な状態であるかどうかの確認をおこない、２番目の遊技媒体貸出装置１Ｂから解錠可能である旨の信号の送信を受けると、その遊技媒体貸出装置１Ｂに対して解錠操作信号ｙを送信する。１番目の遊技媒体貸出装置１Ａから解錠操作信号ｙを受信した２番目の遊技媒体貸出装置１Ｂは、ロック機構８を解錠動作させて金庫４０の解錠をおこない、遊技媒体貸出装置１Ｂの金庫４０から紙幣を取り出すことができる（図１２参照）。
【００５５】
つぎに、２番目の遊技媒体貸出装置１Ｂの蓋２が閉じられ、開閉検知センサ１０３により遊技媒体貸出装置１Ｂの施錠が検出されると、その検出信号ｓがＣＰＵ９０に取り込まれる。遊技媒体貸出装置１ＢのＣＰＵ９０は、検出信号ｓを受けると、ＲＡＭ９４に記憶されたデータを参照して次に解錠すべき３番目の遊技媒体貸出装置１Ｃを認識する。そして、２番目の遊技媒体貸出装置１ＢのＣＰＵ９０は、３番目の遊技媒体貸出装置１Ｃが解錠可能な状態であるかどうかの確認をおこない、その遊技媒体貸出装置１Ｃから解錠可能である旨の信号の送信を受けると、その遊技媒体貸出装置１Ｃに対して解錠操作信号ｙを送信する。
【００５６】
２番目の遊技媒体貸出装置１Ｂから解錠操作信号ｙを受信した３番目の遊技媒体貸出装置１Ｃは、ロック機構８を解錠動作させて金庫４０の解錠をおこない、遊技媒体貸出装置１Ｃの金庫４０から紙幣を取り出すことができる（図１３参照）。
【００５７】
上記した手順が繰り返された結果、島端の遊技媒体貸出装置１Ｚの金庫４０から紙幣を取り出すことにより、その遊技島１０２での紙幣回収作業が終了する。
【図面の簡単な説明】
【００５８】
【図１】隣接する遊技媒体貸出装置と遊技機との外観を示す斜視図である。
【図２】遊技媒体貸出装置の外観を示す斜視図である。
【図３】蓋が押し開かれた状態を示す遊技媒体貸出装置の斜視図である。
【図４】紙幣処理部および紙幣収納部の内部構造を示す側壁の一部を破断した側面図である。
【図５】蓋が閉まった状態を示す側壁の一部を破断した側面図である。
【図６】蓋が開いた状態を示す側壁の一部を破断した側面図である。
【図７】遊技媒体貸出装置の電気的構成を示すブロック図である。
【図８】管理装置の電気的構成を示すブロック図である。
【図９】遊技媒体貸出装置における制御の流れを示すフローチャートである。
【図１０】管理装置における制御の流れを示すフローチャートである。
【図１１】遠隔制御装置により蓋が押開かれる状態を示す遊技媒体貸出装置の斜視図である。
【図１２】順番に蓋が開かれる状態を示す遊技媒体貸出装置の斜視図である。
【図１３】順番に蓋が開かれる状態を示す遊技媒体貸出装置の斜視図である。
【図１４】この発明の他の実施例の遊技媒体貸出装置の電気的構成を示すブロック図である。
【符号の説明】
【００５９】
１    遊技媒体貸出装置
８    ロック機構
９    メイン基板
４０  金庫
９０  ＣＰＵ
９３  ＲＯＭ
９４  ＲＡＭ
１０１  遊技機
１１０  管理装置
１１１  制御装置
１１２  ＣＰＵ
１１３  ＲＯＭ
１１４  ＲＡＭ
【図１】
2007275500.tif 000003
【図２】
2007275500.tif 000004
【図３】
2007275500.tif 000005
【図４】
2007275500.tif 000006
【図５】
2007275500.tif 000007
【図６】
2007275500.tif 000008
【図７】
2007275500.tif 000009
【図８】
2007275500.tif 000010
【図９】
2007275500.tif 000011
【図１０】
2007275500.tif 000012
【図１１】
2007275500.tif 000013
【図１２】
2007275500.tif 000014
【図１３】
2007275500.tif 000015
【図１４】
2007275500.tif 000016